(57)【要約】      （修正有）【課題】押しボタン式操作子を手の平で軽く押さえながら操作部材を押すとラッチを解除して扉が開く扉錠を提供する。【解決手段】錠箱２に設けられた反転ラッチ３と、扉１に設けられ扉１を開く際にプッシュされる操作部材７とを備えた扉錠Ｘであって、操作部材７は、扉１に固定された左右一対の脚部７ａと、これらの脚部７ａに略水平状態に連続する握り部７ｂと、握り部７ｂの表面から外端部８ａが突出する押しボタン式操作子８と、押しボタン式操作子８の内端部に一体的に設けられかつ握り部７ｂに内装されていると共に一端部が固定軸１０に軸支された操作レバー９とから成り、押しボタン式操作子８を手の平で押し込むように押圧操作すると、操作レバー９は固定軸１０を支点に回転し、操作レバー１０と共働回転する水平回転軸１３の回転力の作用により、反転ラッチ３を係止解除方向へ移動させる。【選択図】図１
2016191230.tif 000002
【特許請求の範囲】
【請求項１】
少なくとも錠箱に設けられた反転ラッチと、該反転ラッチを前記錠箱のフロントから突出する方向に付勢する反転ラッチ用付勢バネと、前記反転ラッチに係脱するように錠箱に軸支された反転ラッチ用係止片と、扉に設けられかつ前記反転ラッチ用係止片の係止状態を解くための操作部材とを備えた扉錠であって、
前記操作部材は、前記扉の壁面に固定左右一対の脚部と、これらの脚部に略水平状態に連続する握り部と、該握り部の表面から外端部が突出する押しボタン式操作子と、該押しボタン式操作子の内端部に一体的に設けられ、かつ前記握り部に内装されていると共に、一端部が固定軸に軸支された操作レバーとから成り、
前記押しボタン式操作子を指或いは手の平で押し込むように押圧操作すると、前記操作レバーは前記固定軸を支点に回転し、該操作レバーと共働回転する水平回転軸の回転力は、前記反転ラッチ用係止片を係止解除方向へ回転させる作用となる扉錠。
【請求項２】
請求項１に於いて、水平回転軸の基端部に共働リンクの一端部が一体的に連結され、一方、前記共働リンクの他端部は上下方向に位置変位可能な連結支軸を介して操作レバーの可動端部に連結され、さらに、前記水平回転軸の他端部は、反転ラッチ用係止片を係止解除方向へ回すハンドルカムに取付けられていることを特徴とする扉錠。
【請求項３】
請求項１に於いて、水平回転軸の基端部に共働リンクの一端部が一体的に連結され、一方、前記共働リンクの他端部は上下方向に位置変位可能な連結支軸を介して操作レバーの可動端部に連結され、さらに、前記水平回転軸の他端部は、反転ラッチ用係止片に直接係合していることを特徴とする扉錠。
【請求項４】
請求項１に於いて、押しボタン式操作子は、その内端部に複数個の係止爪を有し、これらの係止爪は、長板状の操作レバーに一体的に設けられた連結片の被係合部に係着していることを特徴とする扉錠。
【請求項５】
請求項４に於いて、少なくとも押しボタン式操作子の外端部は、蓄光物質を有することを特徴とする扉錠。
【請求項６】
少なくとも錠箱に設けられた反転ラッチと、該反転ラッチを前記錠箱のフロントから突出する方向に付勢する反転ラッチ用付勢バネと、前記反転ラッチに係脱するように錠箱に軸支された反転ラッチ用係止片と、扉に設けられかつ前記反転ラッチ用係止片の係止状態を解くための操作部材とを備えた扉錠であって、前記操作部材は、前記扉の壁面に固定された左右一対の脚部と、これらの脚部に略水平状態に連続する握り部と、該握り部の表面から外端部が突出する押しボタン式操作子に一体成形され、かつ前記握り部に内装されていると共に、一端部が固定軸に軸支された操作レバーとから成り、前記押しボタン式操作子を指或いは手の平で押し込むように押圧操作すると、前記操作レバーは前記固定軸を支点に回転し、該操作レバーと共働回転する水平回転軸の回転力は、前記反転ラッチ用係止片を係止解除方向へ回転させる作用となる扉錠。
【請求項７】
請求項１又は請求項６に於いて、操作部材は、一方の脚部から握り部を通過して他方の脚部に至るまで略水平状態に上下方向に二分割された上方本体片と下方本体片から成り、前記上方本体片はその握り部分の略中央部に押しボタン式操作子が遊嵌合する長孔状開口が形成され、該上方本体片と前記下方本体片は、複数個のメス係合部とオス係合部から成る合体用係合手段、又は複数個の螺合部と該螺合部に螺合する螺合体とから成る合体用固定手段のいずれかで一体的に結合していることを特徴とする扉錠。
【発明の詳細な説明】
【技術分野】
【０００１】
本発明は、バリアフリーを重視し、扉を開けやすい建具用の扉錠に関する。
【背景技術】
【０００２】
特許文献１は、「扉８の一部に片持ち梁形の握り１を固定して、手足の不自由な人の手摺りとする一方、この握り本体２の一部に手のひらによって押圧操作可能な操作レバー１０を設けて、この操作レバー１０によりラッチボルト１６を操作できるようにした扉錠」である（符号は特許文献１のもの）。
【０００３】
この扉錠はバリアフリーを重視したものである点で、本発明と同様であるが、ラッチボルト１６を後退させるために握り１の操作レバー１０を押し込むものである。付言すると、本発明の如く、反転ラッチを係止する係止片の係止状態（ロック状態）を解くものではない。
【０００４】
また特許文献１には、カムとテコ方式の第１実施形態（図２）、トグル式機構の第２実施形態（図３）、ラックとピニオンを含む歯車方式の第３実施形態（図４）等が記載されているが、これらの各実施形態は、それぞれ操作レバー１０の操作力によりラッチボルト１６をラッチバネのバネ力に抗して錠箱内に後退させるので、お年寄りや手の不自由な人といえども、それなりの握力が必要であり、手の操作力を「倍力機構」に変換する各部材の組み合わせが複雑になるという問題点があった。そこで、このような問題点を解決するために本発明が出現した。
【先行技術文献】
【特許文献】
【０００５】
【特許文献１】特開平１１−５０７０６号
【発明の概要】
【発明が解決しようとする課題】
【０００６】
本願発明の主たる目的は、簡単な構成により、押しボタン式操作子を指或いは手の平で押し込むように押圧操作すると、反転ラッチ用係止片を係止解除方向へ回転させることができると共に、該押しボタン式操作子を軽く押さえながら操作部材を押す或いは引くと扉が開く扉錠を提案することである。
【課題を解決するための手段】
【０００７】
本発明の扉錠は、少なくとも錠箱２に設けられた反転ラッチ３と、該反転ラッチを前記錠箱のフロント４から突出する方向に付勢する反転ラッチ用付勢バネ２３と、前記反転ラッチ３に係脱するように錠箱２に軸支された反転ラッチ用係止片２４と、扉１に設けられかつ前記反転ラッチ用係止片の係止状態を解くための操作部材７とを備えた扉錠Ｘであって、前記操作部材７は、前記扉の壁面１ａに固定された左右一対の脚部７ａ，７ａと、これらの脚部に略水平状態に連続する握り部７ｂと、該握り部の表面から外端部８ａが突出する押しボタン式操作子８と、該押しボタン式操作子の内端部８ｂに一体的に設けられ或いは一体成形され、かつ前記握り部７ｂに内装されていると共に、一端部が固定軸１０に軸支された操作レバー９とから成り、前記押しボタン式操作子８を指或いは手の平で押し込むように押圧操作すると、前記操作レバー９は前記固定軸１０を支点に回転し、該操作レバー９と共働回転する水平回転軸１３の回転力は、前記反転ラッチ用係止片２４を係止解除方向へ回転させる作用となることを特徴とする。  
【発明の効果】
【０００８】
（ａ）請求項１に記載の発明は、簡単な構成を採用するとこにより、押しボタン式操作子を指或いは手の平で押し込むように押圧操作すると、反転ラッチ用係止片を係止解除方向へ回転させることができると共に、該押しボタン式操作子を軽く押さえながら操作部材を押す或いは引くと扉が開く。したがって、バリアフリーを重視した扉を開けやすい扉錠である。
（ｂ）請求項２に記載の発明は、水平回転軸の基端部に共働リンクの一端部が一体的に連結され、一方、前記共働リンクの他端部は上下方向に位置変位可能な連結支軸を介して操作レバーの可動端部に連結され、さらに、前記水平回転軸の他端部は、反転ラッチ用係止片を係止解除方向へ回すハンドルカムに取付けられているので、やや部品点数（ハンドルカム）が増えるものの、前記（ａ）の効果を確実に得ることができる。
（ｃ）請求項３に記載の発明は、水平回転軸の基端部に共働リンクの一端部が一体的に連結され、一方、前記共働リンクの他端部は上下方向に位置変位可能な連結支軸を介して操作レバーの可動端部に連結され、さらに、前記水平回転軸の他端部は、反転ラッチ用係止片に直接係合しているので、より簡単な構成により、主たる目的を達成することができる。また、水平回転軸の他端部を反転ラッチ用係止片に直接係合させることにより、操作部材の取付け位置が、扉の自由端部側に配設することができる。したがって、開扉時、操作部材の押圧操作力が有効的に発揮する（扉が容易に開く）。
（ｄ）請求項４に記載の発明は、押しボタン式操作子は、その内端部に複数個の係止爪を有し、これらの係止爪は、長板状の操作レバーに一体的に設けられた連結片の被係合部（例えば横長開口部）に係着しているので、押しボタン式操作子を長板状の操作レバーに簡単に取付けることができる。
（ｅ）請求項５に記載の発明は、暗くても、押しボタン式操作子の位置を視認できる。
（ｆ）請求項６に記載の発明は、押しボタン式操作子と操作レバーが「一つの部品」として一体成形されているので、構成部品を減らすことができると共に、前記（ａ）の効果を得ることができる。
（ｇ）請求項７に記載の発明は、操作部材が上下に二分割されているので、視覚上、操作部材としての外観を損なわない、他の構成部材を容易に組み込むことができる等の効果がある。
【図面の簡単な説明】
【０００９】
図１乃至図８は本発明の第１実施形態を示す各説明図、図９及び図１０は本発明の第２実施形態を示す各説明図、図１１乃至図１３は本発明の第３実施形態を示す各説明図。
【図１】使用状態の環境を示す概略説明図（扉の内壁面に設けた操作部材を操作する）。
【図２】扉の自由端部に組み込まれた錠本体（例えばラッチ錠）を示す説明図。
【図３】主要部の平面視からの説明図。
【図４】図３に於ける内部構造を示す説明図。
【図５】操作部材の分解斜視図。
【図６】握り部を縦断面で示すと共に、押しボタン式操作子が初期位置にある説明図。
【図７】図６に於いて、押しボタン式操作子を押圧操作した説明図。
【図８】水平回転軸の回転力が反転ラッチ用係止片を係止解除方向へ回転させる作用となる説明図。
【図９】第１実施形態の図４と同様の説明図。
【図１０】第１実施形態の図２と同様の説明図。
【図１１】第３実施形態の図１と同様の使用状態の環境を示す概略説明図。
【図１２】（ａ）は操作部材を構成する上方本体片の概略平面図。（ｂ）は操作部材を構成する下方本体片の概略背面図。
【図１３】第３実施形態の図４又は図９と同様の説明図。
【発明を実施するための最良の形態】
【００１０】
図１乃至図８は本発明の第１実施形態の各説明図である。図１は使用状態の環境を示す概略説明図で、室内側から人の手の平で扉１の内壁面１ａに略水平状態に配設された操作部材７の握り部７ｂに右手Ｈを掛けようとする概略説明図である。扉１の自由端面からは後述する反転ラッチ３の先端部が突出している。
【００１１】
まず図１に於いて、１は図示しない基端部が複数の蝶番を介して扉枠に回転自在に取付けられた開き扉（以下、「扉」という。）である。２は扉１の自由端部の木口に組み込まれた錠箱、３は錠箱２に設けられその先端部がフロント４から突出する反転ラッチ、５は扉１の内壁面１ａの反転ラッチ側に固定された一方の取付け台座（図面上では左）、６は一方の取付け台座５に対して人の手Ｈを十分に入れることができる間隔を有して前記扉１の内壁面１ａに固定された他方の取付け台座（図面上では右）、７は左右一対の軸部に相当する脚部７ａ、７ａが前記取付け台座５、６にそれぞれ固定的に取付けられ、かつ、前記左右の脚部７ａ、７ａに連続する握り部７ｂが扉１の内壁面１ａに水平状態に対向する横倒れ略コ字形状の操作部材である。なお、実施形態では、握り部７ｂは中空体なので、その中央部の横長状の矩形開口７ｃが形成されている。
【００１２】
操作部材７は左右一対の取付け台座５、６を介して扉１の内壁面１ａに固定的に配設され、前記握り部７ｂは、後述する押しボタン式操作子８、操作レバー９を備え、また反転ラッチ側の前記脚部７ａの一方は、一方の取付け台座５、扉１及び錠箱２を貫通する長杆状水平回転軸１３を備え、該長杆状水平回転軸１３の角軸状他端部は、その被係合部（例えばカム片）が一方の取付け台座５、扉１及び錠箱２を貫通して反転ラッチ３の係止片２４の先端部の被係合部（例えば係合長孔）２７に係合する。
【００１３】
次に図２は扉の自由端部に組み込まれた錠本体（例えばラッチ錠）Ｙを示す説明図である。錠本体Ｙは、反転ラッチ３のみを有するいわゆる空錠（実施形態）の他、反転ラッチ３と図示しないデッドボルトの両方を備えるいわゆる玄関錠、また表示手段を付加したいわゆるトイレ用錠などが含まれる。この図２は、便宜上本発明の特定事項に必要な部材だけを図示したものであるから、室外側の操作部材、室外側のシリンダ、合鍵操作によってテールピースと共に回転する作動カム、該作動カムに連動するロック片等を加味しても良い。さらに、実施形態によっては、非接触型の認証手段を含む電気錠を付加しても良い。
【００１４】
さて、図２に於いて、２は錠箱で、この錠箱は扉１の自由端部に内装されている。４は錠箱２のフロントで、錠箱２はフロント４、図示しない複数の固着具を介して扉１の自由端部に固定的に取付けられる。３はフロント４の不番の開口から先端部が常時突出する反転ラッチで、この反転ラッチ３の後端部はコ字状のラッチ支持枠２１に水平状態で回転しながら後退できるように支持されている。反転ラッチ３及びコ字状ラッチ支持枠２１の構成は周知事項なので、その詳細構造の説明は割愛する。
【００１５】
２２は錠箱２の略中央部に設けられかつ図示しない案内手段に案内される水平スライド片で、この水平スライド片２２の折り曲げ先端部とコ字状ラッチ支持枠２１の垂直支持壁の間に反転ラッチ用付勢バネ２３が水平状態に配設されている。したがって、開扉時、反転ラッチ３は反転ラッチ用付勢バネ２３のバネ力に抗して後退動可能である。
【００１６】
２５はコ字状ラッチ支持枠２１の垂直支持壁の後方でかつ水平スライド片２２の下方に設けられた固定支軸で、この固定支軸２５に親指形状の係止片２４の後端部が軸支されている。２６は前記固定支軸１５に中央部が巻装され、一端部がラッチ支持枠２１の垂直支持壁に圧接すると共に、他端部が前記係止片２４の後端部のバネ端支持部に支持された係止片用付勢バネで、該係止片用付勢バネ２６は係止片２４の先端部が反転ラッチ３の後端部を係止する方向に常時付勢している。そして、実施形態では、前記係止片２４の先端部に後述する水平回転軸の係合部（例えばカム）が係合する被係合部（例えば係合長孔）２７が設けられている。
【００１７】
以上、図１及び図２を参照にすると、本発明の扉錠Ｘは、少なくとも錠箱２に設けられた反転ラッチ３と、該反転ラッチ３を前記錠箱２のフロント４から突出する方向に付勢する反転ラッチ用付勢バネ２３と、前記反転ラッチ３に係脱するように錠箱２に軸支された反転ラッチ用係止片２４と、扉１に設けられかつ該扉１を開く際にプッシュされる操作部材７とを備えている。そして、前記操作部材７は、前記扉１の壁面１ａに固定された一方と他方の取付け台座５，６にそれぞれ固定された左右一対の脚部７ａ、７ａと、これらの脚部に略水平状態に連続する握り部７ｂと、該握り部７ｂの周の表面（望ましくは手の平の当たる箇所）、から外端部が突出する単数又は複数の押しボタン式操作子８と、該押しボタン式操作子の内端部に一体的に設けられ、かつ前記握り部７ｂに内装されていると共に、一端部が固定軸（枢支ピン、係合溝と係合突起などの軸支手段）１０に軸支された操作レバー９とから成る。
【００１８】
次に図３は主要部の平面視からの説明図で、実施形態では押しボタン式操作子８の上端面が握り部７ｂの略中央部に平面視帯状に見えている。また図４は図３に於ける内部構造を示す説明図で、反転ラッチの係止状態を解くための操作部材７の水平の握り部７ａの中には、両端部がそれぞれＬ字形状に折り曲げられた長尺状の操作レバー９、該長尺状操作レバーに単数又は複数の連結片（例えば矩形枠状の被係合部を有する部材）１１、該連結片に水平状態に固定された押しボタン式操作子８、操作レバー９の可動端部に連結された共働リンク１２等が見える。また長杆状の水平回転軸１３が握り部７ｂ、及び反転ラッチ側の一方の脚部７ａを通り、一方の台座５、錠箱２及び扉１を貫通している状態が見える。
【００１９】
また図５は操作部材７の分解斜視図である。実施形態では、操作部材７は複数の部材を一体的に結合して長杆状或いは長板状のレバー体となっている。すなわち、押しボタン式操作子８は親指を除く人差し指乃至小指でもって押圧操作可能な又は手の平で押圧操作可能な大きさと幅と長さを考慮して設計された立体的形状であり、例えば左右の側面が略垂直で、これらを結ぶ上面がやや弧状に形成され、その正面視が略横長四角形を基調とする外周線で囲まれたブロック形状である。したがって、若干突出する外端部８ａの前記弧状の上面或いは手前の弧状の稜線部が手の平等で押圧操作される操作部となる。また少なくとも押しボタン式操作子の外端部は蓄光物質を有する。
【００２０】
さらに、押しボタン式操作子８は、その内端部８ｂに複数個の弾性変位・弾性復帰可能な係止爪１４を有し、これらの係止爪１４は長板状の操作レバー９に一体的に設けられた連結片１１の単数又は複数の矩形枠状の被係合部（例えば横長開口部）１１ａに係着している。なお、前記連結片１１の被係合部１１ａの外端部には操作レバー９の垂直外壁面に添設状態となる取付け部分１１ｂが連設し、該取付け部分１１ｂは複数の固着具１５や接着手段等を介して操作レバー９に適宜に固定されている。
【００２１】
また図６は握り部７ｂを縦断面で示すと共に、操作部材７の押しボタン式操作子８が初期位置にある説明図である。この図６に於いて、図面の右側に位置するのが前述した固定軸で、この固定軸１０に適宜に折り曲げ形成された基端部（右端部）９ａが回転可能に軸支されている。一方、図面の左側に位置するのが前述した水平回転軸１３で、この水平回転軸１３の基端部に操作レバー９の長さの１／４分乃至１／５分程度の長さの短い共働リンク１２の一端部が一体的に連結され、一方、前記共働リンク１２の他端部は上下方向に位置変位可能な連結支軸１６を介して操作レバー９の折り曲げ形成された可動端部９ｂに連結されている。
【００２２】
また図７は図６に於いて、押しボタン式操作子８を、例えば手の平で押圧操作した説明図で、長尺状の操作レバー９は右側の固定軸１０を支点に所定量回転して左側に多少傾いている。付言すると、押しボタン式操作子８及び操作レバー９は図示するように傾倒状態になるが、この時、連結支軸１６が下方に所要量位置変位するとこにより、水平回転軸１３は矢印で示す時計方向に回転する。
【００２３】
図８は水平回転軸１３の他端部（角軸部）に一体的に設けられた係合部としてのカム片１７が回転することにより、前記カム片１７と係合する被係合部２７を有する反転ラッチ用係止片２４が係止解除方向へ固定支軸２５を支点にして回転したことを示す。
したがって、第１実施形態の扉錠Ｘは、水平回転軸１３の他端部は、反転ラッチ用係止片２４に直接係合しているので、押しボタン式操作子８を指或いは手の平で押し込むように押圧操作すると、押しボタン式操作子８と一体の操作レバー９は基端部９ａの固定軸１０を支点に回転し、該操作レバー９と共働回転する水平回転軸１３の回転力は、反転ラッチ用係止片２５を係止解除方向へ回転させる作用となる。
【００２４】
ところで、押しボタン式操作子８及び操作レバー９は、例えば合成樹脂材で一体成形しても良い。また押しボタン式操作子８及び操作レバー９を図６の初期位置へと復帰される付勢手段は、実施形態では、錠箱２側に設けた係止片用付勢バネ２６であるが、例えば操作部材７の握り部７ｂ内に配設しても良いし（例えば操作レバー９の下方に板バネを配設する等）、或いは一方の脚部７ａ側にねじりバネを配設しても良い。その他本発明の特定要件に関係しない細部的事項の説明は割愛する。
【実施例】
【００２５】
実施形態の押しボタン式操作子８の形状、大きさ、長さ、取付け位置、数等は、発明の課題を逸脱しない範囲で任意に設計変更し得る事項である。また第１実施形態では、室内側から反転ラッチの係止状態を解くための操作部材７を押す場合について説明したが、同一構成部材を採用することにより、室外側から反転ラッチの係止状態を解くための操作部材７を引く場合にも適合する（図面省略）。
【００２６】
次に図９乃至図１３を参照にして、第２実施形態と第３実施形態を説明する。なお、これらの説明に当って、第１実施形態と同一の部分には同一又は同様の符号を付して重複する説明を割愛する。
【００２７】
図９及び図１０は本発明の第２実施形態である。この第２実施形態が第１実施形態と主に異なる点は、水平回転軸１３の端部を第１実施形態の如く反転ラッチ用係止片２４に連結するのではなく、普通一般のラッチ錠に見られるように、駆動腕を有するハンドルカム３１の角軸穴３２に連結することである。したがって、この第２実施形態は、水平回転軸１３の基端部に共働リンク１２の一端部が一体的に連結され、一方、前記共働リンク１２の他端部は上下方向に位置変位可能な連結支軸１６を介して操作レバー９の可動端部９ｂに連結されている等の構成は第１実施形態と同じであるが、前記水平回転軸１３の他端部（角軸部）は、反転ラッチ用係止片２４を係止解除方向へ回すハンドルカム３１に取付けられている。このように構成しても、本発明の課題を達成することができる。
【００２８】
図９乃至至図１０は本発明の第３実施形態である。この第３実施形態が第１実施形態と主に異なる点は、操作部材７を二分割したことである。すなわち、操作部材７は、一方の脚部７ａから握り部７ｂを通過して他方の脚部７ａに至るまで略水平状態に上下方向に二分割された上方本体片７Ａと下方本体片７Ｂから成り、前記上方本体片７Ａはその握り部分の略中央部に押しボタン式操作子８が遊嵌合する長孔状矩形開口７ｃが形成され、該上方本体片７Ａと前記下方本体片７Ｂは、複数個のメス係合部とオス係合部から成る合体用係合手段、又は複数個の径の小さな短筒状の螺合部３５と該螺合部に螺合する螺合体３６（実施形態）とから成る合体用固定手段のいずれかで一体的に結合している。
【００２９】
この実施形態では、例えば図１２（ｂ）で示すように上方本体片７Ａの凹所状内壁底面に合計６個の短筒状螺合部としてのメスネジ筒を形成し、一方、図１３で示すように、下方本体片７Ｂの凹所状内壁底面に前記メスネジ筒３５に対応する箇所に小さな貫通穴３７を合計６個形成している。
【００３０】
なお、特に図示しないが、押しボタン式操作子８が左右に長いブロック形態となる場合には下向き凹所を形成し、その中間部に補強リブを単数又は複数設けるのが望ましい。また連結片１１の矩形枠状の被係合部（例えば横長開口部）１１ａは、押しボタン式操作子８の内端部形状如何によっては、例えば複数個形成しても良い。その他の細部的事項は任意に設計変更し得る。
【産業上の利用可能性】
【００３１】
本発明は、扉を開けやすい扉錠として利用することができる。
【符号の説明】
【００３２】
Ｘ…扉錠、Ｙ…錠本体、
１…扉、１ａ…扉の内壁面、
２…錠箱、
３…反転ラッチ、
５…一方の取付け台座、
６…他方の取付け台座、
７…操作部材、
７Ａ…上方本体片、
７Ｂ…下方本体片、
７ａ…左右一対の脚部、
７ｂ…握り部、
８…押しボタン式操作子、８ａ…外端部、８ｂ…内端部、
９…操作レバー、
１０…固定軸、
１１…連結片、
１２…共働リンク、
１３…水平回転軸、
１４…爪片、
１６…連結支軸、
２１…反転ラッチ用支持枠、
２３…反転ラッチ用付勢バネ、
２４…反転ラッチ用係止片、
２５…係止片用固定支軸、
２６…係止片用付勢バネ、
３１…ハンドルカム、
３２…角軸穴、
３５…螺合部或いは係合部。
【図１】
2016191230.tif 000003
【図２】
2016191230.tif 000004
【図３】
2016191230.tif 000005
【図４】
2016191230.tif 000006
【図５】
2016191230.tif 000007
【図６】
2016191230.tif 000008
【図７】
2016191230.tif 000009
【図８】
2016191230.tif 000010
【図９】
2016191230.tif 000011
【図１０】
2016191230.tif 000012
【図１１】
2016191230.tif 000013
【図１２】
2016191230.tif 000014
【図１３】
2016191230.tif 000015